(57)【特許請求の範囲】
【請求項１】
熱融着性を有する合成樹脂製の第１のシートと、
前記第１のシートの裏面に重ね合わされ、所定の形状の輪郭を描くようにして前記第１のシートに溶着され、前記第１のシートとで中空の気嚢部を形成する、熱融着性を有する合成樹脂製の第２のシートと、
前記第１のシートと略同じ大きさに形成され、前記第２のシートに裏面が重ね合わされ、前記気嚢部を囲むようにして前記第１のシート、又は前記第１のシート及び前記第２のシートに周縁が溶着された、熱融着性を有する合成樹脂製の第３のシートとからなり、
前記中空の気嚢部は、輪郭部に薄肉部若しくは断続的な切れ目を有し、当該中空の気嚢部が形成された前記第１のシート及び前記第２のシートから分離可能に形成されていることを特徴とする郵便物。
【請求項２】
前記第３のシートの表面には、宛先記入欄が形成されていることを特徴とする請求項１記載の郵便物。
【請求項３】
前記第１のシート又は前記第２のシートには、前記気嚢部内に硬貨を挿入することができる切れ目が形成されていることを特徴とする請求項１又は２記載の郵便物。
【請求項４】
所定の形状の輪郭を描く前記溶着は気密に行われ、
前記第１のシート又は前記第２のシートには、前記気嚢部内と連通する空気栓が設けられていることを特徴とする請求項１又は２記載の郵便物。
【請求項５】
前記気嚢部の外側には、さらに輪郭と連続する溶着によって小片部が形成されていることを特徴とする請求項１又は２記載の郵便物。
【請求項６】
前記小片部には、透孔が形成され、
当該透孔には、紐が挿通されていることを特徴とする請求項５記載の郵便物。
【請求項７】
前記小片部には、指掛孔が形成されていることを特徴とする請求項５記載の郵便物。
【請求項８】
前記第１のシート及び前記第２のシートには、前記気嚢部の外側であって、前記小片部に隣接し、前記小片部を摘むことができる指通孔が形成されていることを特徴とする請求項５記載の郵便物。
【請求項９】
前記第１のシートの表面には、熱融着性を有する合成樹脂製の収納袋が設けられ、
当該収納袋は、開放部以外の部分が前記気嚢部及び小片部以外の箇所に溶着されていることを特徴とする請求項５記載の郵便物。
【請求項１０】
前記収納袋は、透過性を有し、内部に収納された手紙、カード、写真、絵等の収納物を視認することができるようになっていることを特徴とする請求項９記載の郵便物。
【請求項１１】
前記第１のシートの表面側周縁には、前記気嚢部及び前記収納袋を内側にして半分に折り畳んだ時に、この折り畳んだ状態を保持する保持手段が設けられていることを特徴とする請求項９記載の郵便物。
【請求項１２】
前記保持手段が面ファスナーであることを特徴とする請求項１１記載の郵便物。
【請求項１３】
前記保持手段が接着剤であることを特徴とする請求項１１記載の郵便物。
【請求項１４】
前記保持手段が接着テープであることを特徴とする請求項１１記載の郵便物。
【請求項１５】
前記宛先記入欄が、折り畳まれた前記第３のシートの表面の半分に形成されていることを特徴とする請求項１１記載の郵便物。
【請求項１６】
２枚の合成樹脂シートを重ね合わせて所定形状の輪郭を描くように全周囲を溶着した中空の気嚢部と、前記中空の気嚢部を形成した２枚の合成樹脂シートの一方若しくは双方の外形形状と一致する外形部を有した他の合成樹脂シートを有し、前記他の合成樹脂シートは、前記中空の気嚢部を形成した２枚の合成樹脂シートの一方若しくは双方の外形部に溶着され、前記中空の気嚢部は、輪郭部に薄肉部若しくは断続的な切れ目を有し、当該中空の気嚢部が形成された合成樹脂シートから分離可能に形成されていることを特徴とする空気膨らまし玩具収容体。
【発明の詳細な説明】
【技術分野】
本願発明は、熱融着性を有する合成樹脂製のシートによって形成された郵便物および当該郵便物として使用することが出来る空気膨らまし玩具収容体に関する。
【背景技術】
従来のはがき等の郵便物には、例えば、特開平９−５８１５８号公報（特許文献１）に開示されているように、一部を切り離して使用することが出来るものがあった。また、従来のはがき等の郵便物には、例えば、特開平８−３００８５６号公報（特許文献２）に開示されているように、一部を切り離して立体的に組み立てることが出来るものがあった。
しかし、上記従来の郵便物は、紙によって形成され、切り離した一部を膨らませて遊ぶことはできなかった。
本願発明は、上記課題に鑑み案出したものであって、熱融着性を有する合成樹脂製のシートによって形成され、一部を切り離して膨らませ、飾ったり、遊んだり、貯金箱にすることができる、興趣ある郵便物を提供することを目的とする。
【発明の開示】
本願請求項１記載の郵便物は、上記目的を達成するため、熱融着性を有する合成樹脂製の第１のシートと、前記第１のシートの裏面に重ね合わされ、所定の形状の輪郭を描くようにして前記第１のシートに溶着され、前記第１のシートとで中空の気嚢部を形成する、熱融着性を有する合成樹脂製の第２のシートと、前記第１のシートと略同じ大きさに形成され、前記第２のシートに裏面が重ね合わされ、前記気嚢部を囲むようにして前記第１のシート、又は前記第１のシート及び前記第２のシートに周縁が溶着された、熱融着性を有する合成樹脂製の第３のシートとからなり、前記中空の気嚢部は、輪郭部に薄肉部若しくは断続的な切れ目を有し、当該中空の気嚢部が形成された前記第１のシート及び前記第２のシートから分離可能に形成されている。
本願請求項２記載の郵便物は、上記目的を達成するため、前記第３のシートの表面には、宛先記入欄が形成されている。
本願請求項３記載の郵便物は、上記目的を達成するため、前記第１のシート又は前記第２のシートには、前記気嚢部内に硬貨を挿入することができる切れ目が形成されている。
本願請求項４記載の郵便物は、上記目的を達成するため、所定の形状の輪郭を描く前記溶着は気密に行われ、前記第１のシート又は前記第２のシートには、前記気嚢部内と連通する空気栓が設けられている。
本願請求項５記載の郵便物は、上記目的を達成するため、前記気嚢部の外側には、さらに輪郭と連続する溶着によって小片部が形成されている。
本願請求項６記載の郵便物は、上記目的を達成するため、前記小片部には、透孔が形成され、当該透孔には、紐が挿通されている。
本願請求項７記載の郵便物は、上記目的を達成するため、前記小片部には、指掛孔が形成されている。
本願請求項８記載の郵便物は、上記目的を達成するため、前記第１のシート及び前記第２のシートには、前記気嚢部の外側であって、前記小片部に隣接し、前記小片部を摘むことができる指通孔が形成されている。
本願請求項９記載の郵便物は、上記目的を達成するため、前記第１のシートの表面には、熱融着性を有する合成樹脂製の収納袋が設けられ、当該収納袋は、開放部以外の部分が前記気嚢部及び小片部以外の箇所に溶着されている。
本願請求項１０記載の郵便物は、上記目的を達成するため、前記収納袋は、透過性を有し、内部に収納された手紙、カード、写真、絵等の収納物を視認することができるようになっている。
本願請求項１１記載の郵便物は、上記目的を達成するため、前記第１のシートの表面側周縁には、前記気嚢部及び前記収納袋を内側にして半分に折り畳んだ時に、この折り畳んだ状態を保持する保持手段が設けられている。
本願請求項１２記載の郵便物は、上記目的を達成するため、前記保持手段が面ファスナーである。
本願請求項１３記載の郵便物は、上記目的を達成するため、前記保持手段が接着剤である。
本願請求項１４記載の郵便物は、上記目的を達成するため、前記保持手段が接着テープである。
本願請求項１５記載の郵便物は、上記目的を達成するため、前記宛先記入欄が、折り畳まれた前記第３のシートの表面の半分に形成されている。
本願請求項１６記載の空気膨らまし玩具収容体は、２枚の合成樹脂シートを重ね合わせて所定形状の輪郭を描くように全周囲を溶着した中空の気嚢部と、前記中空の気嚢部を形成した２枚の合成樹脂シートの一方若しくは双方の外形形状と一致する外形部を有した他の合成樹脂シートを有し、前記他の合成樹脂シートは、前記中空の気嚢部を形成した２枚の合成樹脂シートの一方若しくは双方の外形部に溶着され、前記中空の気嚢部は、輪郭部に薄肉部若しくは断続的な切れ目を有し、当該中空の気嚢部が形成された合成樹脂シートから分離可能に形成されていることを特徴とする。
【図面の簡単な説明】
図１は、本願発明に係る郵便物の一つの実施の形態を示す全体斜視図である。図２は、図１の郵便物の展開した状態を示す斜視図である。図３は、図１の郵便物の収納袋を開いた状態を示す斜視図である。図４は、図１の郵便物の気嚢部を切り離している状態を示す斜視図である。図５は、図１の郵便物から切り離した気嚢部の膨らませた状態を示す斜視図である。図６は、図１の郵便物の要部断面図である。図７は、気嚢部の他の実施の形態を説明する説明図である。図８は、本願発明に係る郵便物の他の実施の形態を示す全体斜視図である。図９は、本願発明に係る郵便物の他の実施の形態を示す全体斜視図である。図１０は、図９の郵便物の展開した状態を示す斜視図である。図１１は、図９の郵便物の要部断面図である。
【発明を実施するための最良の形態】
本願発明に係る郵便物の実施の形態を図面に基づいて説明する。
図４，６に示すように、郵便物Ａは、熱融着性を有する合成樹脂製の第１のシート１と、前記第１のシート１の裏面１ｇに重ね合わされ、所定の形状の輪郭５を描くようにして前記第１のシート１に溶着され、前記第１のシート１とで気嚢部６を形成する、熱融着性を有する合成樹脂製の第２のシート２と、前記第１のシート１と略同じ大きさに形成され、前記第２のシート２に裏面３ｃが重ね合わされ、前記気嚢部６を囲むようにして前記第１のシート１、又は前記第１のシート１及び前記第２のシート２に周縁３ｂが溶着された、熱融着性を有する合成樹脂製の第３のシート３とからなる。
図１に示すように、郵便物Ａは、前記第３のシート３の表面３ａに、宛先記入欄２８が形成されている。図７に示すように、また、郵便物Ａは、前記第１のシート１又は前記第２のシート２に、気嚢部３０内に硬貨を挿入することができる切れ目３１が形成されていても良い。さらにまた、図３に示すように、郵便物Ａは、所定の形状の輪郭５を描く前記溶着が気密に行われ、前記第１のシート１又は前記第２のシート２に、前記気嚢部６内と連通する空気栓７が設けられていても良い。
図３に示すように、郵便物Ａは、前記気嚢部６の外側に、さらに輪郭５と連続する溶着によって小片部１０が形成されている。前記小片部１０には、透孔１１が形成され、当該透孔１１には、紐１２が挿通されている。なお、前記小片部１０には、紐１２を挿通する透孔１１に代えて指掛孔１１が形成されても構わない。また、図８に示すように、郵便物Ａは、前記第１のシート１及び前記第２のシート２に、前記気嚢部６の外側であって、前記小片部１０に隣接し、前記小片部１０を摘むことができる指通孔３３が形成されていても構わない。
図２、３に示すように、郵便物Ａは、前記第１のシート１の表面１ａに、熱融着性を有する合成樹脂製の収納袋１５が設けられ、当該収納袋１５は、開放部１６以外の部分が前記気嚢部６及び小片部１０以外の箇所に溶着されている。前記収納袋１５は、透過性を有し、内部に収納された手紙、カード、写真、絵等の収納物１９を視認することができるようになっている。前記第１のシート１の表面１ａ側周縁には、前記気嚢部６及び前記収納袋１５を内側にして半分に折り畳んだ時に、この折り畳んだ状態を保持する保持手段が設けられている。前記保持手段は、面ファスナー２１〜２６であっても良い。また、図１０に示すように、前記保持手段は、接着剤であっても良い。前記保持手段は、接着テープ３６〜３８であることが最も望ましい。前記宛先記入欄２８は、折り畳まれた前記第３のシート３の表面３ａの半分に形成されていることが望ましい。
さらに、郵便物Ａについて詳細に説明する。図６に示すように、郵便物Ａは、三層構造となっており、第１のシート１と、第２のシート２と、第３のシート３とからなる。第１のシート１は、加熱による溶融によって他のシートと接着することができる熱融着性（以下同じ）を有するシート部材であって、塩化ビニール等の軟質合成樹脂によって形成されている。また、日本の郵便規格である往復ハガキ程度の大きさ（略２００ｍｍ×１４８ｍｍ）に形成され、黄色に着色されている。同様に、第２のシート２は、熱融着性を有するシート部材であって、塩化ビニール等の軟質合成樹脂によって略往復ハガキ程度の大きさに形成され、黄色に着色されている。第３のシート３は、熱融着性を有するシート部材であって、塩化ビニール等の軟質合成樹脂によって略往復ハガキ程度の大きさに形成され、白色に着色されている。なお、第２のシート２は、気嚢部６を形成するためのものであり、第１のシート１より小さくても構わない。
図６に示すように、第１のシート１と第２のシート２は、裏面１ｇ、２ｂ同士が重ね合わされ、図３に示すように、幅の細い線状の溶着部によって、ひよこの等の意匠を形成する所定形状の輪郭５を描くように全周囲が気密に溶着され、空気膨らまし玩具が形成されるようになっている。なお、当該輪郭５の形状は、ひよこの意匠に限らず、他の動物、アニメーションキャラクター等の種々の形状を模したものであってもよい。また、溶着は、ヒートシール、高周波ウェルダー等によって行われる。この第１のシート１と第２のシート２の溶着された輪郭５によって気嚢部６が形成される。第１のシート１の表面１ａ側には、前記気嚢部６内と連通する空気栓７が設けられている。空気栓７は、合成樹脂によって形成され、第１のシート１の表面１ａ側に熱溶着によって取り付けられ、気嚢部６内への空気の注入、排出を行うことができる。ひよこの模様は、第１のシート１又は第２のシート２のどちらか一方に描かれていれば良いが、図８に示すように、空気栓７が第１のシート１に取り付けられているので、第２のシート２の表面２ａに描かれていることが望ましい。
さらに、第１のシート１と第２のシート２は、ひよこの形状の輪郭５と連続する略山状の輪郭９を描くように溶着されている。この第１のシート１と第２のシート２の溶着された輪郭９によって小片部１０が形成される。また、小片部１０には、第１のシート１と第２のシート２を連通する直径約１〜３ｍｍ程度の孔である透孔１１が形成されている。輪郭５，９は、ヒートシール等による溶着によって形成されているので、肉厚が薄くなっており、切り離しやすくなっている。小片部１０は、輪郭９から切り離されて、手前に立ち上げられている。透孔１１には、紐１２が挿通されている。紐１２は、両端が連結され、鈴１３が取り付けられている。なお、透孔１１を大きくして、指が引っ掛けられる直径約１ｃｍｍ程度の孔の指掛孔にしても良い。なお、図２に示すように、空いている箇所を利用して、第１のシート１と第２のシート２を、アクセサリー形状の輪郭２０を描くように溶着しても構わない。この輪郭２０によって、透孔１９が形成されたアクセサリー１８が形成される。このアクセサリー１８は、引っ張ることによって、輪郭２０が容易に切り離され、取りだすことができる。
第３のシート３は、第１のシート１と略同じ大きさに形成され、第２のシート２を挟み込むようにして、第１のシート１の裏面１ｇに第３のシート３の裏面３ｃが重ね合わされ、周縁３ｂが溶着されている。本願実施の形態では、第２のシート２も第１のシート１と略同じ大きさに形成されているので、第１のシート１と、第２のシート２と、第３のシート３の周縁が同時に溶着されている。しかし、第２のシート２が、第１のシート１より小さい場合、又は気嚢部６の輪郭５に沿って第２のシート２の外側を切り離した場合には、第１のシート１と第３のシート３の周縁が溶着される。
図２、３に示すように、前記第１のシート１の表面１ａ側には、熱融着性を有する合成樹脂製の収納袋１５が設けられている。当該収納袋１５は、透明若しくは半透明の素材によって、カード、写真、絵等を収容することができる程度の大きさに形成され、内部に収納された手紙、カード、写真、絵等の収納物１９を視認することができるようになっている。この収納袋１５は、開放部１６以外の部分、例えば開放部１６とは反対側の後端１７が第１のシート１の表面１ａに、ヒートシール、高周波ウェルダー等を行う溶着装置を用いた溶着により取り付けられている。この収納袋１５の後端１７が溶着されている箇所は、気嚢部６及び小片部１０以外の部位、例えば、第１のシート１の長手方向の一端１ｂ側である。
前記第１のシート１の表面１ａ側周縁には、保持手段が設けられている。保持手段は、郵便物Ａを２つ折りに折り曲げた状態を保持するものであり、面ファスナー２１〜２６で構成されている。面ファスナー２１，２２は、第１のシート１の表面１ａの長手方向両端１ｂ，１ｃ側に、接着剤、熱溶着等により取り付けられている。面ファスナー２３，２４は、第１のシート１の表面１ａの短手方向の一端１ｄ側であって、長手方向の略半分の両方に、接着剤、熱溶着等により取り付けられている。面ファスナー２５，２６は、第１のシート１の表面１ａの短手方向の他端１ｅ側であって、長手方向の略半分の両方に、接着剤、熱溶着等により取り付けられている。
郵便物Ａは、第１のシート１の表面１ａの長手方向の略半分の位置１ｆを谷折りすると、前記気嚢部６及び前記収納袋１５を内側にして半分に折り畳むことができ、面ファスナー２１と２２が離脱可能に係着し、面ファスナー２３と２４が離脱可能に係着し、面ファスナー２５と２６が離脱可能に係着して、この折り畳んだ状態が保持される。郵便物Ａは、半分に折り畳むとハガキ（約１００ｍｍ×１４８ｍｍ）の大きさなる。上記したように、保持手段は、面ファスナーで説明したが、これに限定されるものではなく、ビニールチャック、プラスチックホック等であっても構わない。
図１に示すように、前記第３のシート３の表面３ａには、郵便番号記入欄２７、宛先記入欄２８、住所記入欄２９が印刷形成されている。当該郵便番号記入欄２７、宛先記入欄２８及び住所記入欄２９は、折り畳まれた第３のシート３の表面３ａの半分に形成されていることが望ましい。
郵便物Ａは、上記構成を有し、図２に示すように、展開した状態で、収納袋１５の中に、開放部１６からメッセージカード等の収納物１９を入れる。収納袋１５を内側に折り込むようにして、第１のシート１の表面１ａの長手方向の略半分の位置１ｆで谷折りすると、前記気嚢部６及び前記収納袋１５が内側に内装された状態で半分に折り畳まれ、面ファスナー２１と２２が離脱可能に係着し、面ファスナー２３と２４が離脱可能に係着し、面ファスナー２５と２６が離脱可能に係着して、この折り畳んだ状態で保持される。
図１に示すように、郵便物Ａは、折り畳まれていると、第３のシート３が外側に位置しており、第３のシート３の表面３ａの半分に印刷形成された郵便番号記入欄２７、宛名記入欄２８及び住所記入欄２９等の宛先記入欄が設けられており、当該宛先記入欄に所定事項を記入し、左隅に切手を貼ることによって郵送することができる。なお、当該宛先記入欄は、宛先を記入したシールを貼り付けるための領域を形成したシール貼り付け欄や、宛先を記入した宅配用の配送伝票を貼り付ける領域を形成した伝票貼り付け欄として構成しても良い。
図２に示すように、郵便物Ａを受け取った人は、面ファスナー２１と２２を離脱させ、面ファスナー２３と２４を離脱させ、面ファスナー２５と２６を離脱させて、展開することが出来る。展開すると、透明若しくは半透明等の透過性を有する収納袋１５内のメッセージカード等の収納物１９を視認することが出来る。
図３に示すように、収納袋１５を後端１７を中心にして手前に回転させると、気嚢部６全体を見ることができる。輪郭５，９は、ヒートシール等による溶着によって細幅の線状に形成されるとともにシートの肉厚が薄くなっており、シートから切り離し易くなっている。紐１２を掴んで引っ張ると、輪郭９が切り離されて小片部１０が第１のシート１及び第２のシート２から抜け出る。図４に示すように、さらに紐１２を掴んで引っ張ると、輪郭５が切り離されて気嚢部６が第１のシート１及び第２のシート２から抜け出る。なお、紐１２を使用せず、小片部１０を摘んで引っ張っても構わない。
図５に示すように、空気栓７から気嚢部６内に空気を注入すると、気嚢部６が膨らんで、扁平状態からひよこ形状の立体的装飾物（空気膨らまし玩具）となる。このように、郵便物Ａは空気膨らまし玩具を収容し、必要に応じて取り出すことができる収容体として構成されている。また、前記立体装飾物は、前面が第１のシート１で構成され、背面が第２のシート２で構成され、第１のシート１及び第２のシート２が黄色で着色されているから、全体が黄色の装飾物となり、遊んだり、飾ったりすることが出来る。なお、空気栓７が第１のシート１に設けられているので、図８に示すように、第２のシート２の表面２ａに立体的装飾物の前面を形成し、第１のシート１の表面１ａに立体的装飾物の背面を形成することが望ましい。このようにすると、気嚢部６を第１のシート１及び第２のシート２から外すまで立体的装飾物の種類を視認することができないため、この郵便物Ａを興趣あるものにすることができる。この気嚢体６の形状及び色は、種々変更可能であり、ひよこの形状に限定されるものではない。また、第１のシート１と第２のシート２の間に、重錘又は鈴を配置し、前述したように、輪郭５に沿って溶着すれば、気嚢体６の内部に重錘又は鈴を設けることもできる。
上記気嚢部６は、空気栓７を備えた人形玩具形状に形成したが、図７に示すように、気嚢部３０を貯金箱形状に形成しても構わない。この場合、気嚢部３０は、前面側に人形模様３２が描かれ、背面側に硬貨挿入口となる切れ目３１が形成されている。気嚢部３０は、切れ目３１から気嚢部３０内に硬貨を挿入することができる貯金箱として利用することができる。
上記したように、輪郭５，９，２０は、熱溶着によって形成され、肉厚が薄くなっており、切り離し易くなっているが、図６に示すように、熱溶着時に、ミシン目等の断続的な切れ目や、切り込みによって薄肉部とした切れ目３５を入れておくと、より綺麗に切り離すことができる。また、図８に示すように、第１のシート１及び第２のシート２には、気嚢部６の外側であって、小片部１０に隣接した指通孔３３を形成しても良い。この指通孔３３によって、小片部１０を摘み易くすることができる。
上記実施の形態では、保持手段が面ファスナー２１〜２６で構成したが、図１０に示すように、接着テープ３６〜３８で構成しても良い。接着テープ３６は、第１のシート１の表面１ａの長手方向一端１ｂ側に接着剤等により取り付けられている。接着テープ３７は、第１のシート１の表面１ａの短手方向の一端１ｄ側であって、長手方向の一端１ｂ側略半分に、接着剤等により取り付けられている。接着テープ３８は、第１のシート１の表面１ａの短手方向の他端１ｅ側であって、長手方向の一端１ｂ側略半分に、接着剤等により取り付けられている。なお、接着テープ３６〜３８の接着面は、紙シール等によって被覆されている。
郵便物Ａは、接着テープ３６〜３８から紙シールを剥がして、接着面を表出させ、第１のシート１の表面１ａの長手方向の略半分の位置１ｆを谷折りすると、前記気嚢部６及び前記収納袋１５を内側にして半分に折り畳むことができ、接着テープ３６に第１のシート１の表面１ａの長手方向他端１ｃ側が接着し、接着テープ３７に第１のシート１の表面１ａの短手方向の一端１ｄ側であって、長手方向の他端１ｃ側略半分が接着し、接着テープ３８に第１のシート１の表面１ａの短手方向の他端１ｅ側であって、長手方向の他端１ｃ側略半分が接着して、この折り畳んだ状態が保持される。なお、接着テープ３６〜３８の代わりに、接着剤を設けておいても良い。
上記したように、保持手段を接着テープ３６〜３８又は接着剤にすると、郵便物Ａは開け難くなるので、図１０に示すように、高周波ウェルダー加工等の溶着加工を利用して、矩形状の薄肉部４０を形成する。この薄肉部４０によって形成される矩形枠内には、気嚢部６、小片部１０及び収納袋１５が配置される。図９に示すように、郵便物Ａは、折り畳まれた状態から、薄肉部４０を切り離すことによって、接着テープ３６〜３８を引き剥がすことなく、郵便物Ａの主要部Ａ１を取りだすことができる。
郵便物Ａは、上記他の実施の形態では、第１のシート１と第２のシート２と第３のシート３の三層構造となっており、折り畳まれた状態で接着テープ３６〜３８又は接着剤によって接着されると、図１１（ａ）に示すように、六層構造となっている。係る場合であっても、薄肉部４０により簡単に切り離すことができるが、図１１（ｂ）に示すように、第３のシート３を第１のシート１及び第２のシート２より大きくし、第３のシート３の裏面３ｃ周縁に接着テープ３６〜３８を設け、さらに第３のシート３のみに前記溶着加工により薄肉部４０を形成すると、切り離し部が２層構造となるので、より簡単に切り離すことができる。
【発明の効果】
本願発明に係る郵便物は、第３のシートの表面に切手を貼り、郵便番号、宛先を筆記具によって書くことにより、相手先に郵送することができるという効果がある。また、本願発明に係る郵便物は、溶着の部分の肉厚が薄くなっているため、溶着に沿って、所定の形状の輪郭を有する気嚢部を切り離して使用することができるという効果がある。
本願発明に係る郵便物は、上記効果に加え、前記第３のシートの表面に宛先記入欄が形成されているので、記入が容易であるという効果がある。
本願発明に係る郵便物は、前記第１のシート又は前記第２のシートに、前記気嚢部内に硬貨を挿入することができる切れ目が形成されているので、気嚢部を切り離して貯金箱にすることができるという効果がある。また、本願発明に係る郵便物は、所定の形状の輪郭を描く前記溶着が気密に行われ、前記第１のシート又は前記第２のシートに、前記気嚢部内と連通する空気栓が設けられているので、気嚢部を切り離して、空気栓から空気を注入することによって、気嚢部を膨らまして、装飾物として飾ったり、人形玩具として遊んだりすることができるという効果がある。
本願発明に係る郵便物は、上記効果に加え、前記気嚢部の外側に、さらに輪郭と連続する溶着によって小片部が形成されているので、小片部を引っ張ることにより、気嚢部を容易に切離させることができるという効果がある。また、当該小片部に第１のシートと第２のシートを連通する透孔が形成され、当該透孔に紐が挿通されているので、紐を引っ張ることにより、気嚢部を容易に切離させることができるという効果がある。
本願発明に係る郵便物は、上記効果に加え、前記小片部に第１のシートと第２のシートを連通する指掛孔が形成されても良く、当該指掛孔に指を引っ掛けて、気嚢部を容易に切離させることができるという効果がある。本願発明に係る郵便物は、上記効果に加え、前記第１のシート及び前記第２のシートに、前記気嚢部の外側であって、前記小片部に隣接して指通孔が形成されているので、当該指通孔に指を通して前記小片部を摘み、気嚢部を容易に切離させることができるという効果がある。
本願発明に係る郵便物は、上記効果に加え、前記第１のシートの表面に、熱融着性を有する合成樹脂製の収納袋が設けられているので、当該収納部に手紙、カード、写真、絵等の収納物を収納することが出来るという効果がある。
本願発明に係る郵便物は、上記効果に加え、前記収納袋は、透過性を有し、内部に収納された手紙、カード、写真、絵等の収納物を視認することができるという効果がある。
本願発明に係る郵便物は、上記効果に加え、前記気嚢部及び前記収納袋を内側にして半分に折り畳むことができ、保持手段によってこの折り畳んだ状態を保持することができるので、気嚢部が切り離される虞が少なく、収納袋内の収納物が見られる心配がない、という効果がある。
本願発明に係る郵便物は、前記保持手段が面ファスナーであると、折り畳む動作だけで簡単に保持させることができ、製造が容易であるという効果がある。
本願発明に係る郵便物は、前記保持手段が接着剤又は接着テープであると、折り畳んだ状態を保持する保持力が向上し、容易に開くことがなく、郵便物の守秘性が損なわれ難いという効果がある。
本願発明に係る郵便物は、上記効果に加え、前記宛先記入欄が、折り畳まれた前記第３のシートの表面の半分に形成されているので、見易いという効果がある。
【符号の説明】
Ａ・・郵便物、Ａ１・・主要部、１・・第１のシート、１ａ・・表面、１ｂ・・一端、１ｃ・・他端、１ｄ・・一端、１ｅ・・他端、１ｆ・・略半分の位置、１ｇ・・裏面、２・・第２のシート、２ａ・・表面、２ｂ・・裏面、３・・第３のシート、３ａ・・表面、３ｂ・・周縁、３ｃ・・裏面、５・・輪郭、６・・気嚢部、７・・空気栓、９・・輪郭、１０・・小片部、１１・・透孔（指掛孔）、１２・・紐、１３・・鈴、１５・・収納袋、１６・・開放部、１７・・後端、１８・・アクセサリー、１９・・透孔、２０・・輪郭、２１・・面ファスナー、２２・・面ファスナー、２３・・面ファスナー、２４・・面ファスナー、２５・・面ファスナー、２６・・面ファスナー、２７・・郵便番号記入欄、２８・・宛先記入欄、２９・・住所記入欄、３０・・気嚢部、３１・・切れ目、３２・・人形模様、３３・・指通孔、３５・・切れ目、３６・・接着テープ、３７・・接着テープ、３８・・接着テープ、４０・・薄肉部
【産業上の利用可能性】
本願発明は、郵便物として利用可能である。
【図１】
0004700618.tif 000002
【図２】
0004700618.tif 000003
【図３】
0004700618.tif 000004
【図４】
0004700618.tif 000005
【図５】
0004700618.tif 000006
【図６】
0004700618.tif 000007
【図７】
0004700618.tif 000008
【図８】
0004700618.tif 000009
【図９】
0004700618.tif 000010
【図１０】
0004700618.tif 000011
【図１１】
0004700618.tif 000012